(57)【要約】【課題】基礎構造を構成している既成コンクリート杭と鉄骨柱との結合を堅固にして曲げ応力の伝達を円滑にしながら、現場での作業と根切り工事とを回避することで、施工コストの低減と工期短縮の出来る鉄骨造建物の基礎構造と施工法及び鋼管付既成コンクリート杭を提供する。【解決手段】本発明による鉄骨造建物の基礎構造１は、地盤の所定位置に打設された円形中空断面の既成コンクリート杭２と、既成コンクリート杭２と同外径以下で既成コンクリート杭の杭頭上端面５に接合された鋼管４及び鋼管内の所定位置に設置されコンクリート８で一体化された鉄骨柱３で構成され、鋼管の下端部に取付フランジを設けて杭頭上端面にボルト接合し、剪断補強筋を杭頭上端面に突設された縦筋に支持し、杭頭上端面に固定させて杭の中空部に垂下する有底鋼管中にコンクリートを充填することを特徴としている。【選択図】　図１
2004108034.tif 000002
【特許請求の範囲】
【請求項１】
杭と鉄骨柱を直接連結して基礎梁及びフーチングを用いずに成る鉄骨造建物の基礎構造であって、地盤の所定位置に打設された円形中空断面の既成コンクリート杭、該既成コンクリート杭と同外径以下で既成コンクリート杭の杭頭上端面に接合された鋼管及び該鋼管内の所定位置に設置され該鋼管内に充填されたコンクリートで一体化された鉄骨柱で構成される鉄骨造建物の基礎構造。
【請求項２】
既成コンクリート杭の杭頭上端面に接合された鋼管が、下端部に取付フランジを設けて成り、該取付フランジが既成コンクリート杭の杭頭上端面にボルト接合されることを特徴とする請求項１に記載の鉄骨造建物の基礎構造。
【請求項３】
コンクリート用剪断補強筋が、既成コンクリート杭の杭頭上端に突設された縦筋に支持されて備えられることを特徴とする請求項１又は２に記載の鉄骨造建物の基礎構造。
【請求項４】
コンクリートが、既成コンクリート杭の杭頭上端面に固定されて杭の中空部に垂下して成る有底鋼管中に充填されることを特徴とする請求項１乃至３のいずれかに記載の鉄骨造建物の基礎構造。
【請求項５】
円形中空断面の既成コンクリート杭の杭頭上端面に、該既成コンクリート杭と同外径以下で所定長の鋼管を接合して成る鋼管付既成コンクリート杭を地盤の所定位置に打設し、次いで該鋼管内の所定位置に鉄骨柱を建て込み、しかる後に該鋼管内にコンクリートを充填して既成コンクリート杭と鉄骨柱とを一体化する請求項１乃至４のいずれかに記載の鉄骨造建物の基礎構造の施工法。
【請求項６】
既成コンクリート杭、該既成コンクリート杭と同外径以下で所定長に形成されて成り既成コンクリート杭の杭頭上端面に接合される鋼管から構成される請求項５に記載の基礎構造の施工法に用いる鋼管付既成コンクリート杭。
【請求項７】
既成コンクリート杭の杭頭上端面に接合した鋼管が、下端部に補強リブを備えて成る取付フランジを設けて成り、該取付フランジが既成コンクリート杭の杭頭上端面にボルト接合されることを特徴とする請求項６に記載の鋼管付既成コンクリート杭。
【請求項８】
コンクリート用剪断補強筋が、既成コンクリート杭の杭頭上端面に固定されることを特徴とする請求項６又は７に記載の鋼管付既成コンクリート杭。
【請求項９】
杭の中空部に垂下して成る有底鋼管が、既成コンクリート杭の杭頭上端面に固定されることを特徴とする請求項６乃至８のいずれかに記載の鋼管付既成コンクリート杭。
【発明の詳細な説明】
【０００１】
【発明の属する技術分野】
本発明は、鉄骨造建物の基礎構造と施工法及び鋼管付既成コンクリート杭に関し、特に既成コンクリート杭と鉄骨柱との結合を堅固にして曲げや剪断応力の伝達が円滑に出来る鉄骨造建物の基礎構造と施工法及び鋼管付既成コンクリート杭に関する。
【０００２】
【従来の技術】
通常の建物においては、一般的な基礎構造として杭頭上端面と柱脚部及び基礎梁とがフーチングを介して一体に接合されているが、上部荷重の小さな低層の鉄骨造建物においては、簡素で合理的な基礎構造として杭と鉄骨柱とを直接的に連結して、フーチングと基礎梁を用いない基礎構造形式が用いられ始めている。
【０００３】
このような杭と鉄骨柱とを直接的に連結する基礎構造形式としては、場所打ち杭、遠心力成形による既成コンクリート杭（ＲＣ杭、ＰＣ杭、ＰＨＣ杭）、又は、外殻鋼管付き既成コンクリート杭（ＳＣ杭）等の杭に鉄骨柱を連結させた多数の基礎構造形式が提案されており、以下の図５、６に示すものは、本件発明に最も近い従来例である。
【０００４】
【特許文献１】
特開平１１−１００８５４号公報（第３頁、段落番号「００１１」、第２図）
【特許文献２】
特開２００１−１１５４６４号公報（第２頁、段落番号「００１４」〜第３頁、段落番号「００１７」、第４図）
【０００５】
特許文献１の例は、図５に示す構造によって現場における根切り工事と溶接作業を省略しており、コスト低減と工期短縮を図ろうとしている。
【０００６】
基礎構造２４の既成コンクリート杭２は、中空部にセメント８を充填硬化しており、鉄骨柱３は、下端をアンカーボルト２５によって既成コンクリート杭２に直接接合している。又、鉄骨柱３の下端部と既成コンクリート杭２の上端部には、これらに跨がるように鋼管２６を外挿して内部にコンクリートあるいは無収縮モルタル等の硬化材２７を充填して硬化させている。
【０００７】
既成コンクリート杭２と鉄骨柱３とは、鋼管２６を介して接合すると共に直接的にも接合することで接合強度を確保しており、既成コンクリート杭２の施工誤差が生じた場合には、鋼管２６と鉄骨柱３の位置を微調整することで対応している。
【０００８】
しかるに、本例の基礎構造は、鋼管と杭との結合が差し込み構造によって一体化していることから、その結合強度は相互間の付着力のみで保持されるものであり、柱に引抜力が作用した場合には、付着力が切れて破壊する恐れがあった。
【０００９】
又、鋼管と杭を構成しているＰＣ鋼材とが離れていることから、地震時に至っては、鋼管に作用した曲げ応力が、杭にスムーズに伝達できないことが懸念され、同時に上部構造の揺れによって杭端の近傍に鋼管がせん断力を与えることで杭体破損を生じさせる可能性を抱えている。
【００１０】
さらに、杭と柱の外側に配置される鋼管を柱施工後に挿入した場合には、現場施工となって品質が安定しないという不安感もあった。
【００１１】
図５に示す構造の類似形態として、この他にも、既成コンクリート杭２の杭頭上端面の外周にコンクリートあるいは無収縮モルタル等の硬化材２７を介することなく鋼管２６を直接外挿する杭構造もあるが、本例では、上記問題点に加えて、杭頭上端面の外周に鋼管が勘合された形態であるが故に、杭打機で杭を打設する際に鋼管が杭頭上端面から押込まれて主要長さを確保できない場合が生じる等の問題もある。
【００１２】
図６に示す特許文献２の従来例は、杭頭上端面に柱脚部を挿入することで剛接合するようにしている。
【００１３】
本例では、基礎構造２８を既成コンクリート杭２と角形鋼管から成る鉄骨柱３とで構成している。鉄骨柱３は、その柱脚部を既成コンクリート杭２の杭頭上端面５に直接的に挿入しながら、無収縮モルタルあるいはコンクリート等の充填材２９を打設充填することで、杭頭上端面５と柱脚部とを剛接合すると共に、杭頭上端面５の外側周囲にはフープ筋３０を多段に設けながら杭頭上端面５の周囲にコンクリート造の補強構造体３１を設けることで接合部の補強を図っている。
【００１４】
しかるに、本従来例の場合は、杭外側に鉄筋コンクリート部材を作成するために、杭頭上端面の周囲に鎖線で示す範囲に亘たって行われる地盤の掘削と埋戻し等の土工事を要し、この他にも鉄筋工事、型枠工事及びコンクリート工事が必要となって施工コストの高騰と工期の長期化を要していた。
【００１５】
【発明が解決しようとする課題】
本発明は、上述した従来の各例が抱えている問題点に鑑みて、その解決を図るために提供するものであり、基礎構造を構成している既成コンクリート杭と鉄骨柱との結合を堅固にして曲げや剪断応力の伝達を円滑にし、現場での作業と根切り工事とを回避することで、施工コストの低減と工期短縮の出来る鉄骨造建物の基礎構造と施工法及び鋼管付既成コンクリート杭の提供を目的にしている。
【００１６】
【課題を解決するための手段】
本発明による鉄骨造建物の基礎構造は、基本的に、杭と鉄骨柱を直接連結して基礎梁及びフーチングを用いずに成る鉄骨造建物の基礎構造において、地盤の所定位置に打設された円形中空断面の既成コンクリート杭と、既成コンクリート杭と同外径以下で既成コンクリート杭の杭頭上端面に接合された鋼管及び鋼管内の所定位置に設置され鋼管内に充填されたコンクリートで一体化された鉄骨柱で構成されており、具体的には、杭頭上端面に鋼管が突合わせ溶接されるか、或いは、既成コンクリート杭の杭頭上端面に接合された鋼管の下端部に取付フランジを設け、取付フランジを既成コンクリート杭の杭頭上端面にボルト接合したり、さらには、剪断補強筋を既成コンクリート杭の杭頭上端面に突設された縦筋に支持したり、コンクリートを既成コンクリート杭の杭頭上端面に固定させて杭の中空部に垂下して成る有底鋼管中に充填することを特徴としている。
【００１７】
これによって、基礎構造は、既成コンクリート杭と鉄骨柱との結合を堅固にして曲げや剪断応力の伝達を円滑にすると共に現場での作業と根切り工事とを回避することで、施工コストの低減と工期の短縮を図っている。
【００１８】
又、本発明による鉄骨造建物の基礎構造の施工法は、円形中空断面の既成コンクリート杭の杭頭上端面に、既成コンクリート杭と同外径以下で所定長の鋼管を接合して成る鋼管付既成コンクリート杭を地盤の所定位置に打設し、次いで鋼管内の所定位置に鉄骨柱を建て込み、しかる後に該鋼管内にコンクリートを充填して既成コンクリート杭と鉄骨柱とを一体化しており、鋼管付既成コンクリート杭の製作は工場等で行い、現場ではコンクリートを充填するのみなので、基礎構造の高品質化と施工効率の向上を達成している。
【００１９】
さらに、本発明による基礎構造施工法に用いる鋼管付既成コンクリート杭は、基本的に、既成コンクリート杭と既成コンクリート杭と同外径以下で所定長に形成されて成り既成コンクリート杭の杭頭上端面に接合される鋼管から構成されており、具体的には、既成コンクリート杭の杭頭上端面に接合した鋼管がその下端部に補強リブを備えて成る取付フランジを設けて、その取付フランジを既成コンクリート杭の杭頭上端面にボルト接合したり、コンクリート用剪断補強筋を既成コンクリート杭の杭頭上端面に固定するか、杭の中空部に垂下して成る有底鋼管を既成コンクリート杭の杭頭上端面に固定することを特徴としている。
【００２０】
これによって、鋼管付既成コンクリート杭の製作は工場等で行い、現場ではコンクリートを充填するのみなので、基礎構造は既成コンクリート杭と鉄骨柱との結合を堅固にして曲げ応力の伝達を円滑にすると共に現場での作業と根切り工事とを回避することで施工効率の向上と高品質化を達成している。
【００２１】
【発明の実施の形態】
本発明による鉄骨造建物の基礎構造は、基本的に、杭と鉄骨柱を直接連結して基礎梁及び基礎を用いずに成る鉄骨造建物の基礎構造において、所定位置に打設された既成コンクリート杭と既成コンクリート杭と同外径以下で既成コンクリート杭の杭頭上端面に接合した鋼管及び鋼管内の所定位置に設置されコンクリートで一体化された鉄骨柱で構成されている。
【００２２】
以下に、本発明の基礎構造に関する実施の形態を図面に基づいて詳細に説明するが、従来と同様の部位についての表示は、理解を容易にするために同様の符号によっている。
【００２３】
図１は、本発明による基礎構造の実施の形態を示すもので、杭と鉄骨柱とを直接連結することで基礎梁及びフーチングを用いずに構成された基礎構造を立断面図（ａ）と平断面図（ｂ）によって表示している。
【００２４】
本発明による基礎構造１は、既成コンクリート杭２と鉄骨柱３とを直接連結することで構成している。既成コンクリート杭２の杭頭上端面５には、鋼管４を固定しているが、鋼管４の寸法は、外径の大きさ（Ｄ）が既成コンクリート杭２の外径寸法と同一であると共に、その高さ（Ｈ）は、鉄骨柱３に杭２からの応力を適切に伝達するのに必要な最小限の定値に設定されている。
【００２５】
鋼管４は、既成コンクリート杭２の両端部に配置されて杭主筋と連結されているドーナツ状の端面金物６に対して突き合わせ溶接７によって強固に固定されており、既成コンクリート杭２の上端部と一体的に構成されている。
【００２６】
しかして、既成コンクリート杭２は、打設された後にその中空部を充填することが通常の施工法であるが、既成コンクリート杭２の打設においては、杭の中空部に空隙が残された儘の場合と中空部が土砂で充填される場合とがある。
【００２７】
そして、中空部に空隙が残された儘の場合は、空隙部分を適宜の手段で充填するものであり、後者の場合は、杭をオーガーなどで先もみすることで地盤に打設することで発生するものであるが、この際のコンクリート打設は、既成コンクリート杭の打設後に杭頭上端面の土砂を取り除いて行われるものであり、残された杭の中空部に杭頭上端からコンクリートを所定深さに施工することになる。
【００２８】
鋼管４を備えた既成コンクリート杭２は、上部荷重の小さな低層の鉄骨造建物を構築する敷地の所定位置に打設され、フーチングと基礎梁を用いることなく簡素で合理的な基礎構造１を構成するために配置されているが、既成コンクリート杭２が打設された後には、鉄骨柱３を鋼管４内の所定位置に建て込むと共に、鋼管４の内部にコンクリート８あるいは無収縮モルタル等の硬化材を充填して硬化させるものであり、既成コンクリート杭２と鉄骨柱３とは、直接的に連結している基礎構造１として一体的に構成されている。
【００２９】
尚、鉄骨柱３は、その形状を角形、円形等の任意の形態に選択できるものであり、同様に中空や内密等の選択も任意である。又、必要な場合には図示のように複数のスタッドジベル９を柱脚部に装着させることで、コンクリートとの結合強度を調整することも可能である。
【００３０】
以上の構成によって、本発明による鉄骨造建物の基礎構造は、既成コンクリート杭と鉄骨柱との結合を堅固にして曲げ応力の伝達を円滑にすると共に、現場での作業と根切り工事とを回避することで施工コストの低減と工期の短縮を可能にしている。
【００３１】
又、本発明による鉄骨造建物の基礎構造の施工法は、既成コンクリート杭と同外径で所定長の鋼管を既成コンクリート杭の杭頭上端面に接合し、鋼管付既成コンクリート杭を所定位置に打設した後に鋼管内の所定位置に鉄骨柱を建て込み、しかる後に鋼管内にコンクリートを打設して既成コンクリート杭と鉄骨柱とを一体化している。
【００３２】
即ち、本発明による基礎構造の施工法における実施の形態では、既成コンクリート杭２の杭頭上端面５に、既成コンクリート杭２と同じ外径で所定の長さを有している鋼管４を取り付けるための溶接７の作業は、工場内での機械作業として行うものであり、鋼管付既成コンクリート杭２’における安定した品質の確立を可能にしている。
【００３３】
次いで、鋼管付既成コンクリート杭２’は、施工現場に搬送されて敷地内の所定位置に打設されるが、この際においては、現場での機械作業や根切り工事を一切回避するものであり、施工効率を向上させることで経済的になっている。
【００３４】
又、鋼管付既成コンクリート杭２’の打設後には、鉄骨柱３を鋼管４内の所定位置に建て込み、位置を設定した後にはコンクリート８を打設することで杭と柱の一体化を図っており、簡潔な短工期の作業によって容易に基礎構造を構成している。
【００３５】
以上のように、本発明による基礎構造の施工法は、鋼管付既成コンクリート杭の製作を工場等で行い、現場ではコンクリートを打設するだけの工事なので、基礎構造の高品質化と施工効率の向上を図れるものである。
【００３６】
図２は、本発明による基礎構造施工法に用いる鋼管付既成コンクリート杭の一実施の形態を示すものであり、立断面図（ａ）と平断面図（ｂ）とで表示している。
【００３７】
本実施の形態における鋼管付既成コンクリート杭２’は、既成コンクリート杭２の杭頭上端面５に特別に加工された鋼管４’を固定している。既成コンクリート杭２の杭頭上端面５に対する鋼管４’の結合は、杭主筋と連結されているドーナツ状の端面金物６との螺合によって構成されている。
【００３８】
又、鋼管４’は、既成コンクリート杭２と同じ外径で所定の長さを有している鋼管４の下端部に上記端面金物６と対峙しているドーナツ状の取付フランジ１０を備えており、取付フランジ１０には、鋼管４の管壁との間に補強用のリブプレート１１を設けると共に取付穴１２を形成している。
【００３９】
一方、既成コンクリート杭２の杭頭上端面５に設けられているドーナツ状の端面金物６は、既成コンクリート杭を遠心成形する際に型枠として使用されているものであり、遠心成形装置に固定するための螺子孔１３が設けられている。
【００４０】
本実施の形態では、この螺子孔１３を取付フランジのボルト接合用のネジ穴に兼用することで、取付穴１２を通したボルト１４をこれに螺合させており、鋼管４’はこのボルト１４に嵌合させることで既成コンクリート杭２に装着させるものであり、しかる後にボルト１４にダブルナット１５を螺着させることで、鋼管４’を既成コンクリート杭２の杭頭上端面５に固定している。
【００４１】
従って、本実施の形態では、既成コンクリート杭を遠心成形する際に型枠を固定するための螺子孔を活用しながら、鋼管を既成コンクリート杭の杭頭上端面にボルト固定しているので、特別なネジ加工を排除して施工上の効率化を図っている。
【００４２】
図３は、本発明による基礎構造施工法に用いる鋼管付既成コンクリート杭の他の実施形態を示すものであり、立断面図（ａ）と平断面図（ｂ）とで表示している。
【００４３】
本実施の形態における鋼管付既成コンクリート杭２”では、既成コンクリート杭２の杭頭上端面５に打設されるコンクリート用の剪断補強筋として鉄筋籠１６が固定されている。本鉄筋籠１６は、図示の縦筋１７によって所定の位置に配置されることになるが、本実施の形態でも、既成コンクリート杭を遠心成形する際に型枠を固定するために必要な螺子孔１３を、鉄筋籠１６を支持する縦筋１７を装着するために兼用している。
【００４４】
縦筋１７は、下端部にネジを構成することで、上記螺子孔１３を活用しながら端面金物６に螺合されており、鉄筋籠１６をこの縦筋１７に結合させることで既成コンクリート杭２に装着させるものであり、打設されるコンクリートの強度を補強している鉄筋籠１６の位置決めを確実にしている。
【００４５】
従って、本実施の形態では、鉄筋籠を結合させるための縦筋が、既成コンクリート杭を遠心成形する際に型枠を固定するための螺子孔を活用しながら、既成コンクリート杭の杭頭上端面に螺合されているので、特別なネジ加工を排除して施工上の効率化を図っている。
【００４６】
尚、既成コンクリート杭２の杭頭上端面５に固定される鋼管４は、上記実施の形態と同様に、既成コンクリート杭２と同じ外径で所定の長さを有しており、杭頭上端面５の端面金物６に取り付けるための溶接７の作業は、工場内での機械作業として行うものであるから、鋼管付既成コンクリート杭２’における安定した品質の確立を可能にしている。又、鉄筋籠１６の場合には鋼管の上方からも挿入することも出来るものであるが、剪断補強筋としては本実施の形態に限定されるものでなく、フープ筋のような簡素な形態等でも採用可能である。
【００４７】
図４は、本発明による基礎構造施工法に用いる鋼管付既成コンクリート杭の他の実施形態を示すものであり、立断面図（ａ）と固定前の装着状態を示す斜視図（ｂ）とで表示している。
【００４８】
本実施の形態における鋼管付既成コンクリート杭２０は、既成コンクリート杭２の杭頭上端面５に成形加工された２段形状の鋼管１８が固定されている。鋼管１８は、既成コンクリート杭２の杭頭上端面５に配置される上部１８−１を上記実施の形態で示した鋼管４’と同様に、既成コンクリート杭２と同じ外径で所定の長さを有している鋼管４の下端部に上記端面金物６と対峙しているドーナツ状の取付フランジ１０を備えており、杭頭上端面５に配置されている端面金物６と取付フランジ１０とを結合することで、杭主筋と近接した状態での連結固定を可能にしている。
【００４９】
鋼管１８の下部１８−２は、底部１９を有する円筒体２１で構成されており、円筒体２１の外径を端面金物６及び取付フランジ１０の内径と同様の寸法に形成しながら、取付フランジ１０と一体に溶接されることで、２段形状の鋼管１８を形成しており、既成コンクリート杭２の中空部に下部１８−２を遊嵌させることで、鋼管１８にコンクリートを打設する際の型枠として兼用すると同時に、既成コンクリート杭２と鉄骨柱３の柱脚部とを結合するコンクリートの既成コンクリート杭２との接合範囲を拡大している。
【００５０】
従って、本実施の形態おける鋼管付既成コンクリート杭２０は、打設されるコンクリートと既成コンクリート杭２との接合範囲を拡大することで、鋼管１８を配置されている杭主筋の近傍に固着させると同時に、鉄骨柱から既成コンクリート杭に伝達される応力の移行や曲げ応力への対応を確実にして、既成コンクリート杭と鉄骨柱との結合をさらに堅固にしている。
【００５１】
又、本実施の形態でも、鋼管が既成コンクリート杭を遠心成形する際に型枠を固定するための螺子孔を活用しながら、既成コンクリート杭の杭頭上端面にボルト固定しているので、特別なネジ加工を排除して施工上の効率化を図っている。
【００５２】
以上の各実施の形態で説明したように、本発明による鋼管付既成コンクリート杭は、鋼管付既成コンクリート杭の製作は工場等で行い、現場ではコンクリートを打設するのみなので、基礎構造は既成コンクリート杭と鉄骨柱との結合を堅固にして曲げ応力の伝達を円滑にすると共に現場での作業と根切り工事とを回避することで施工効率の向上と高品質化を達成している。
【００５３】
以上、本発明のそれぞれを実施形態に基づいて詳細に説明してきたが、本発明による鉄骨造建物の基礎構造と施工法及び鋼管付既成コンクリート杭は、各実施の形態に何等限定されるものでなく、発明の趣旨に逸脱しない範囲において各種の変更が可能であることは当然である。
【００５４】
【発明の効果】
本発明による鉄骨造建物の基礎構造は、杭と鉄骨柱を直接連結して基礎梁及びフーチングを用いずに成る鉄骨造建物の基礎構造において、地盤の所定位置に打設された円形中空断面の既成コンクリート杭と、既成コンクリート杭と同外径以下で既成コンクリート杭の杭頭上端面に接合された鋼管及び鋼管内の所定位置に設置され鋼管内に充填されたコンクリートで一体化された鉄骨柱で構成されることを基本的にしており、杭頭上端面に鋼管が突合わせ溶接されるか、或いは、既成コンクリート杭の杭頭上端面に接合された鋼管の下端部に取付フランジを設け、取付フランジを既成コンクリート杭の杭頭上端面にボルト接合したり、さらには、剪断補強筋を既成コンクリート杭の杭頭上端面に突設された縦筋に支持したり、コンクリートを既成コンクリート杭の杭頭上端面に固定させて杭の中空部に垂下して成る有底鋼管中に充填することを特徴としているので、既成コンクリート杭と鉄骨柱との結合を堅固にして曲げや剪断応力の伝達を円滑にすると共に現場での作業と根切り工事とを回避することで、施工コストの低減と工期の短縮を図ることができる効果を発揮している。
【００５５】
又、本発明による鉄骨造建物の基礎構造の施工法は、円形中空断面の既成コンクリート杭の杭頭上端面に、既成コンクリート杭と同外径以下で所定長の鋼管を接合して成る鋼管付既成コンクリート杭を地盤の所定位置に打設し、次いで鋼管内の所定位置に鉄骨柱を建て込み、しかる後に鋼管内にコンクリートを充填して既成コンクリート杭と鉄骨柱とを一体化しているので、鋼管付既成コンクリート杭の製作は工場等で行い、現場ではコンクリートを充填するのみになるので、基礎構造の高品質化と施工効率の向上を達成できる効果を発揮している。
【００５６】
さらに、本発明による基礎構造の施工法に用いる鋼管付既成コンクリート杭は、既成コンクリート杭と既成コンクリート杭と同外径以下で所定長に形成されて成って既成コンクリート杭の杭頭上端面に接合される鋼管から構成することを基本にしており、既成コンクリート杭の杭頭上端面に接合した鋼管がその下端部に補強リブを備えて成る取付フランジを設けてその取付フランジを既成コンクリート杭の杭頭上端面にボルト接合したり、コンクリート用剪断補強筋を既成コンクリート杭の杭頭上端面に固定するか、杭の中空部に垂下して成る有底鋼管を既成コンクリート杭の杭頭上端面に固定することを特徴としているので、鋼管付既成コンクリート杭の製作は工場等で行い、現場ではコンクリートを充填するのみなので、基礎構造は既成コンクリート杭と鉄骨柱との結合を堅固にして曲げ応力の伝達を円滑にすると共に、現場での作業と根切り工事とを回避することで、施工効率の向上と高品質化を達成できる効果を発揮している。
【図面の簡単な説明】
【　図１】本発明による鉄骨造建物の基礎構造における実施の形態図
【　図２】本発明の基礎構造施工法に用いる鋼管付既成コンクリート杭の実施の形態図
【　図３】本発明の基礎構造施工法に用いる鋼管付既成コンクリート杭の他の実施形態図
【　図４】本発明の基礎構造施工法に用いる鋼管付既成コンクリート杭の他の実施形態図
【　図５】従来の鉄骨造建物の基礎構造を示す立断面図
【　図６】従来の鉄骨造建物の基礎構造を示す立断面図
【符号の説明】
１基礎構造、　２　既成コンクリート杭、
２’、２”、２０　鋼管付既成コンクリート杭、　３　鉄骨柱、
４、４’　鋼管、　５　既成コンクリート杭の杭頭上端面、
６　ドーナツ状の端面金物、　７　溶接、　８　コンクリート、
９　スタッドジベル、　１０　取付フランジ、　１１　リブプレート、
１２　取付穴、　１３　螺子孔、　１４　ボルト、　１５　ダブルナット、
１６　鉄筋籠、　１７　縦筋、　１８　加工した鋼管、　１８−１　上部、
１８−２　下部、　１９　底部、　２４、２８　基礎構造、
２５　アンカーボルト、　２６　鋼管、　２７、２９　硬化材、
３０　フープ筋、　３１　補強構造体、
【図１】
2004108034.tif 000003
【図２】
2004108034.tif 000004
【図３】
2004108034.tif 000005
【図４】
2004108034.tif 000006
【図５】
2004108034.tif 000007
【図６】
2004108034.tif 000008